(57)【要約】【課題】視聴者による意図的な操作を経ることなく、２Ｄ−３Ｄ変換の有効化／無効化を適切に制御する２Ｄ−３Ｄ変換機能を有する画像処理装置を提供する。【解決手段】画像データに付加されているデータを基に、画像データの再生操作制限を表す再生操作制限信号を生成する再生操作制限信号生成部１５と、画像データを擬似３Ｄ画像に変換する２Ｄ−３Ｄ変換器１５とを備える。２Ｄ−３Ｄ変換器１５は、再生操作制限信号を基に、画像データを２Ｄ画像から擬似３Ｄ画像に変換する動作の有効化と無効化を制御する。【選択図】図１
2012129845.tif 000002
【特許請求の範囲】
【請求項１】
２Ｄ画像の画像データを処理するための画像処理装置であって、
前記画像データに付加されているデータを基に、前記画像データの再生操作制限を表す再生操作制限信号を生成する再生操作制限信号生成部と、
前記画像データを擬似３Ｄ画像に変換する２Ｄ−３Ｄ変換器と、
を備え、
前記２Ｄ−３Ｄ変換器は、前記再生操作制限信号を基に、前記画像データを２Ｄ画像から擬似３Ｄ画像に変換する動作の有効化と無効化を制御する
ことを特徴とする画像処理装置。
【請求項２】
請求項１に記載の画像処理装置であって、
前記画像データに付加されているデータを基に、字幕の有無を表す字幕情報信号を生成する字幕情報信号生成部を更に備え、
前記２Ｄ−３Ｄ変換器は、前記再生操作制限信号に加え、前記字幕情報信号を基に、前記画像データを２Ｄ画像から擬似３Ｄ画像に変換する動作の有効化と無効化を制御することを特徴とする画像処理装置。
【請求項３】
請求項１に記載の画像処理装置であって、
前記画像データが格納された記録媒体から、前記画像データを読み取り出力するための画像データ再生装置を更に備えることを特徴とする画像処理装置。
【請求項４】
請求項２に記載の画像処理装置であって、
前記画像データが格納された記録媒体から、前記画像データを読み取り出力するための画像データ再生装置を更に備えることを特徴とする画像処理装置。
【請求項５】
請求項３に記載の画像処理装置であって、
前記画像再生装置から出力された前記画像データと前記再生操作制限信号生成部で生成された前記再生操作制限信号とを重畳して、前記２Ｄ−３Ｄ変換器に伝送する画像出力伝送路を更に備えることを特徴とする画像処理装置。
【請求項６】
請求項４に記載の画像処理装置であって、
前記画像再生装置から出力された前記画像データと前記再生操作制限信号生成部で生成された前記再生操作制限信号と前記字幕情報信号生成部で生成された前記字幕情報信号とを重畳して、前記２Ｄ−３Ｄ変換器に伝送する画像出力伝送路を更に備えることを特徴とする画像処理装置。
【請求項７】
請求項１または２に記載の画像処理装置であって、
前記画像データが画像処理装置の外部から入力されることを特徴とする画像処理装置。
【請求項８】
請求項１に記載の画像処理装置であって、
前記再生操作制限信号を基に、２Ｄ画像から擬似３Ｄ画像に変換する動作を制御するための基準信号を生成する基準信号生成部を更に備え、
前記２Ｄ−３Ｄ変換器は、前記基準信号を基に、前記画像データを２Ｄ画像から擬似３Ｄ画像に変換する動作の有効化と無効化を制御する
ことを特徴とする画像処理装置。
【請求項９】
請求項２に記載の画像処理装置であって、
前記再生操作制限信号と前記字幕情報信号とを基に、２Ｄ画像から擬似３Ｄ画像に変換する動作を制御するための基準信号を生成する基準信号生成部を更に備え、
前記２Ｄ−３Ｄ変換器は、前記基準信号を基に、前記画像データを２Ｄ画像から擬似３Ｄ画像に変換する動作の有効化と無効化を制御する
ことを特徴とする画像処理装置。
【発明の詳細な説明】
【技術分野】
【０００１】
本発明は、２Ｄ画像を疑似３Ｄ画像に変換する機能を有する画像処理装置に関する。
【背景技術】
【０００２】
非立体（２Ｄ）画像を疑似立体（３Ｄ）画像に変換する機能（２Ｄ−３Ｄ変換機能）を有する画像処理装置として、特許文献１に記載の疑似立体画像生成装置が知られている。
【０００３】
また、特許文献１に記載の疑似立体画像生成装置に関して、公知となっている適用事例としては、業務用３Ｄイメージプロセッサ「ＩＦ−２Ｄ３Ｄ１」（日本ビクター株式会社）が知られている。
【０００４】
これら上記の疑似立体画像生成装置を用いることにより、あらゆる２Ｄ画像信号を擬似３Ｄ画像に加工し、表示装置に表示することが可能である。
【０００５】
画像信号のコンテンツソースとしては、テレビ放送やインターネットなどで配信されるものや、ＤＶＤなどの記録媒体で供給されるものなどが考えられるが、上記疑似立体画像生成装置は、それらのいずれの画像信号にも適応可能な装置である。
【０００６】
しかしながら、コンテンツの種別によっては、社会の一般通念上、擬似３Ｄ画像への変換がふさわしくないケースもある。その一例を以下に挙げる。
【０００７】
ＤＶＤなどのパッケージメディアでは、多くはその冒頭部分に、コンテンツホルダーのタイトルロゴ、及び著作権保護の注意喚起メッセージなどが収録されている。これは、コンテンツの視聴者に注意喚起メッセージなどの画像を提示することにより、コンテンツの所有権を主張したり、違法コピーなどの著作権侵害行為を抑止することを目的としている。しかしながら、このような注意喚起メッセージなどの画像を擬似３Ｄ画像に変換し、表示装置に表示した場合、表示画像は右目用の画像と左目用の画像が重畳されたものとなる。この場合、例えば、表示装置が立体視機能を有しないものであったり、あるいは、表示装置が立体視機能を有する場合であっても、視聴者自身が立体視を可能にするための装置、例えば立体視メガネなどを装着せずにコンテンツを視聴した場合は、視聴される画像は右目用画像と左目用画像が重なった２重画像となり、正常な視聴が困難な画像となる。このため、２Ｄ−３Ｄ変換機能は、コンテンツホルダーの意図するところである、コンテンツの所有権主張や、違法コピーなどの著作権侵害行為の注意喚起を正常に表示することを阻害することとなる。
【０００８】
この場合は、２Ｄ−３Ｄ変換機能をユーザー操作により無効にし、オリジナルの画像である２Ｄ表示状態で視聴することが、コンテンツホルダーの意図を叶える上で必要となる。しかし、２Ｄ−３Ｄ変換の有効化／無効化を視聴者自身の操作に委ねることは、前述のコンテンツホルダーからのメッセージの視聴を視聴者の意図により回避することが可能となることを意味する。すなわち、視聴者が視聴者自身の意思により意図的に２Ｄ−３Ｄ変換を有効状態にすることによって、コンテンツホルダーからのメッセージの視聴を行わないことが可能になる。
【先行技術文献】
【特許文献】
【０００９】
【特許文献１】特開２００９−４４７２２号公報
【発明の概要】
【発明が解決しようとする課題】
【００１０】
そこで、本発明は、視聴者による意図的な操作を経ることなく、２Ｄ−３Ｄ変換の有効化／無効化を適切に制御するための画像処理装置を提供することにより、コンテンツホルダーからのメッセージを、コンテンツホルダーの意図どおりに、視聴者に対して確実に提示することを目的とする。
【００１１】
ＤＶＤなどのパッケージメディアコンテンツには、字幕情報が付加されていることが多い。しかしながら、前述のコンテンツホルダーのタイトルロゴ、及び著作権保護の注意喚起メッセージなどが収録されている部分では、字幕情報は付加されていない。その理由は、コンテンツ画面に字幕を重畳して表示した場合、コンテンツホルダーがユーザーに対して提示したい画面を覆い隠すことになるため、ユーザーがコンテンツホルダーからのメッセージを正常に視聴できなくなるからであり、コンテンツホルダーがそれを望まないからである。
【００１２】
また、一般に、ＤＶＤなどのパッケージメディアと、それを再生しコンテンツを視聴するための再生機においては、その再生プロセスにおいて、コンテンツ視聴者の意思や自発的操作にかかわらず、コンテンツホルダーの意図どおりの再生が行われるように制御する仕組みが備わっている。この仕組みを利用し、前述のコンテンツホルダーのタイトルロゴ、及び著作権保護の注意喚起メッセージなどが収録されている部分では、早送り再生、スキップ再生、チャプター送り、などのユーザー操作を不可能にすることにより、視聴者に対して、コンテンツホルダーの希望する時間だけ、所定のメッセージが表示されるようになっている。この制御機能は、ＤＶＤ規格などで規定されており、ＤＶＤ再生装置の製造者には、この規格に則った仕様で製品を製造することが義務付けられているため、この装置を使用してコンテンツを視聴する視聴者は、コンテンツホルダーからのメッセージを必然的に視聴するようになっている。
【００１３】
この、パッケージメディア再生操作の制限機能は、例えばＤＶＤ規格における、ナビゲーションコマンドの規定によって実現されている。ナビゲーションコマンドの規定では、ＤＶＤ再生機器は、ディスクコンテンツデータの再生に際して、コンテンツデータに付随して格納されているナビゲーションデータを監視し、その規定に従ってユーザーによる再生操作を制限する。この操作制限は、コンテンツのシーンに応じて制御が可能であるため、コンテンツホルダーの意図するシーンにのみ、限定的に、ユーザーによる再生操作制限を行うことが可能となっている。
【００１４】
字幕は画像コンテンツに含まれる付加情報で、ユーザーがそれを視聴するために実装されているものであり、それ以外の用途への適用を想定されているものではない。
【００１５】
また、上記に述べたように、ナビゲーションコマンドは、ユーザーの再生操作に制限をかけるために規定されたものであり、その他の用途への適応は想定されておらず、適用実績もない。
【００１６】
本発明では、ＤＶＤ再生信号などの画像データに含まれる、本来ユーザーの再生操作を制限するために存在するナビゲーションコマンド情報の中の再生操作制限を表す信号である再生操作制限信号や、単なるコンテンツの付加情報である字幕の有無を表す字幕情報信号に基づいて、本来想定されているのとは異なる用途である、２Ｄ−３Ｄ変換機能の有効化／無効化の制御に適用することを目的とする。
【００１７】
すなわち、２Ｄ−３Ｄ変換機能の有効化／無効化の制御に対し、ナビゲーションコマンド情報や字幕の有無の情報を利用することにより、視聴者による意図的な操作を経ることなく、２Ｄ−３Ｄ変換の有効化／無効化を自動で切り替え、視聴者に対して、コンテンツホルダーからのメッセージを、擬似３Ｄ化による画像の乱れなしに、適切に提示することを可能にする画像処理装置を提供することを目的とする。
【課題を解決するための手段】
【００１８】
上記の課題を解決するために、本発明の第１の技術的側面に係る画像処理装置は、画像データに付加されているデータを基に、画像データの再生操作制限を表す再生操作制限信号を生成する再生操作制限信号生成部（１５）と、画像データを擬似３Ｄ画像に変換する２Ｄ−３Ｄ変換器（１５）とを備える。２Ｄ−３Ｄ変換器（１５）は、再生操作制限信号を基に、画像データを２Ｄ画像から擬似３Ｄ画像に変換する動作の有効化と無効化を制御する。
【００１９】
本発明の第１の技術的側面に係る画像処理装置は、前記画像データに付加されているデータを基に、字幕の有無を表す字幕情報信号を生成する字幕情報信号生成部（１５）を更に備えてもよい。この場合、２Ｄ−３Ｄ変換器は、再生操作制限信号に加え、字幕情報信号を基に、画像データを２Ｄ画像から擬似３Ｄ画像に変換する動作の有効化と無効化を制御する。
【発明の効果】
【００２０】
ＤＶＤ再生信号などの画像データに含まれる、ナビゲーションコマンド情報の中の再生操作制限を表す信号である再生操作制限信号や字幕の有無を表す字幕情報信号に基づいて、２Ｄ−３Ｄ変換機能の有効化／無効化の制御を行うことにより、ユーザーの操作を経ることなく、コンテンツホルダーの意図どおりに、２Ｄ−３Ｄ変換の有効化／無効化の制御を自動で行うことが可能になる。
【図面の簡単な説明】
【００２１】
【図１】図１は、本発明の各実施例に係る画像処理装置において用いられる基本的な構成を示すブロック図である。
【図２】図２は、実施例１に係る画像処理装置であって、本発明の画像処理装置をＤＶＤ再生装置に適用した場合の例を示すブロック構成図である。
【図３】図３は、実施例１に係る画像処理装置の動作を説明する図である。
【図４】図４は、実施例２に係る画像処理装置であって、本発明の画像処理装置をＤＶＤ再生装置に適用した場合の例を示すブロック構成図である。
【図５】図５は、実施例３に係る画像処理装置であって、ＤＶＤ再生装置と２Ｄ−３Ｄ変換装置が分離したシステムに本発明の画像処理装置を適用した場合の例を示すブロック構成図である。
【図６】図６は、実施例４に係る画像処理装置であって、ＤＶＤ再生装置と２Ｄ−３Ｄ変換装置が分離したシステムに本発明の画像処理装置を適用した場合の例を示すブロック構成図である。
【発明を実施するための形態】
【００２２】
以下、本発明の実施の形態について、図面を参照しながら詳細に説明する。なお、各実施例において、先行して説明した実施例の構成要素と同じ構成要素には同じ符号を付け、重複する説明は省略する。
【００２３】
まず、図１に示すような、ＤＶＤの再生信号に含まれる字幕情報とナビゲーションコマンド情報とを読み取る機能と、ＤＶＤ再生画像を擬似３Ｄ画像に変換する機能とを有する装置を用いることを想定する。
【００２４】
ＤＶＤの再生信号１１は、ＤＶＤの再生信号１１に含まれる字幕情報とナビゲーションコマンド情報とを読み取る機能を持つ復号器１２に入力される。すると、復号器１２は、入力されたＤＶＤの再生信号１１に基づき、字幕の有無を示す字幕情報信号１８とナビゲーションコマンド情報の中の再生操作制限を表す信号である再生操作制限信号１３を生成し出力する。すなわち、復号器１２は、再生操作制限信号生成部および字幕情報信号生成部として機能する。ＤＶＤの再生信号１１を何らかの手段により復号化して得られた画像信号１４は、２Ｄ−３Ｄ変換器１５に入力される。すると、２Ｄ−３Ｄ変換器１５は、左の擬似立体画像信号１６と右の擬似立体画像信号１７とを生成し出力する。このとき、字幕情報信号１８と再生操作制限信号１３とが２Ｄ−３Ｄ変換器１５に入力され、字幕情報信号１８と再生操作制限信号１３との少なくとも一方が２Ｄ−３Ｄ変換機能の有効化／無効化を切り替える制御を行うのに用いられる。
【実施例１】
【００２５】
実施例１に係る画像処理装置では、図２に示すように、ＤＶＤ再生機能とＤＶＤの再生画像を擬似３Ｄ画像に変換する機能とを有したＤＶＤ再生装置２０に適用する。
【００２６】
再生されるＤＶＤには、画像信号１４が符号化されて記録されている。ＤＶＤ信号読み取り装置２１から出力されたＤＶＤの再生信号１１は、復号器１２に入力され、画像信号１４に復号されて出力される。出力された画像信号１４は、非立体（２Ｄ）画像を疑似立体（３Ｄ）画像に変換する２Ｄ−３Ｄ変換器１５に入力される。すると、２Ｄ−３Ｄ変換器１５は、左の擬似立体画像信号１６と右の擬似立体画像信号１７とを生成し出力する。２つの擬似立体画像信号１６、１７は、３Ｄ表示変換器２８に入力され、立体表示装置３０に伝送するための信号フォーマットである３Ｄ画像フォーマット信号２９に変換され、ＤＶＤ再生装置２０から出力される。出力された３Ｄ画像フォーマット信号２９は、立体表示装置３０に入力され、立体視表示される。立体表示装置３０を視聴する視聴者３１は、この立体表示装置３０にあわせた視聴方法、例えば立体メガネをかける、などの方法をとることにより、ＤＶＤに記録されている２Ｄ画像信号を、擬似３Ｄ画像で視聴することができる。また、復号器１２から、字幕の有無を表す字幕情報信号１８と、ナビゲーションコマンド情報の中の再生操作制限を表す信号である、再生操作制限信号１３が出力される。この信号は、２Ｄ−３Ｄ変換器１５に入力される。また、２Ｄ−３Ｄ制御信号３３は、ユーザー操作により２Ｄ−３Ｄ変換の有効化／無効化を制御する信号である。２Ｄ−３Ｄ変換器１５で行われる２Ｄ−３Ｄ変換動作は、字幕情報信号１８と、再生操作制限信号１３と、２Ｄ−３Ｄ制御信号３３に基づいた論理演算により、有効化／無効化が制御される。字幕情報信号１８が字幕無しの状態で、かつ、再生操作制限信号１３が再生制限ありの状態のときは、２Ｄ−３Ｄ制御信号３３で２Ｄ−３Ｄ変換動作の有効化を行っても、２Ｄ−３Ｄ変換動作有効にはならず無効化に固定され、字幕情報信号１８が字幕あり、または、再生操作制限信号１３が再生制限なしの状態のときにのみ、２Ｄ−３Ｄ制御信号３３によって２Ｄ−３Ｄ変換動作の有効化／無効化を切り替えることができるように構成されている。
【００２７】
この装置における、２Ｄ−３Ｄ変換の有効化／無効化の制御方法を図３に示す。図３の１段目はＤＶＤ再生信号を表し、コンテンツホルダーがユーザー再生操作制限を意図しない部分と、コンテンツホルダーからのメッセージであってユーザー再生操作制限を意図する部分とを示す。図３の２段目は、ＤＶＤ再生信号に付随する字幕情報の有無を表す信号であり、実線部分は字幕無し、破線部分は字幕ありを表す。図３の３段目は、ＤＶＤ再生信号に付随するナビゲーションコマンド情報の中の、再生操作制限を表す信号であり、実線部分は再生制限無し、破線部分は再生制限ありを表す。図３の４段目は、ユーザー操作により２Ｄ−３Ｄ変換の有効化／無効化を制御する信号であり、ロー（Ｌ）レベルの期間は２Ｄ−３Ｄ変換の無効化を指示している期間を表し、ハイ（Ｈ）レベルの期間は２Ｄ−３Ｄ変換の有効化を指示している期間を表す。図３の５段目は、２Ｄ−３Ｄ変換機の有効化／無効化期間を表し、２Ｄ−３Ｄ変換機の有効期間と、２Ｄ−３Ｄ変換機の無効期間とを表す。図３に示すとおり、コンテンツホルダーがユーザー再生操作制限を意図する、コンテンツホルダーからのメッセージ部分においては、ユーザーが２Ｄ−３Ｄ変換機の有効化を指示したとしても、２Ｄ−３Ｄ変換の無効化がなされるように自動で制御される。
【実施例２】
【００２８】
実施例１のＤＶＤ再生装置２０では、図２に示したように、復号器１２から字幕情報信号１８と再生操作制限信号１３が出力され、２Ｄ−３Ｄ変換器１５において２Ｄ−３Ｄ制御信号３３との論理演算が行われる例を示した。しかし、例えば、この論理演算を復号器１２の内部で行い、その結果である２Ｄ−３Ｄ変換の制御を切り替える信号のみを２Ｄ−３Ｄ変換器１５に入力するようにしてもよい。
【００２９】
実施例２のＤＶＤ生成装置２０ａでは、図４に示すように、２Ｄ−３Ｄ制御信号３３は復号器１２に直接入力され、復号器１２の内部で検出される字幕の有無を表す字幕情報信号と復号器１２の内部で検出されるナビゲーションコマンド情報の中の再生操作制限を表す信号である再生操作制限信号との論理演算が行われる。復号器１２からは、上記の論理演算の結果である２Ｄ―３Ｄ変換制御切り替え信号（基準信号）１９が出力される。すなわち、復号器１２は、再生操作制限信号生成部と字幕情報信号生成部と基準信号生成部として機能する。２Ｄ−３Ｄ変換器１５には、２Ｄ−３Ｄ変換制御切り替え信号１９のみが入力され、この信号でのみ、２Ｄ−３Ｄ変換の有効化／無効化の制御が行われる。
【実施例３】
【００３０】
実施例１と実施例２では共に、ＤＶＤ再生機能と、再生画像を擬似３Ｄ画像に変換する機能が同じ躯体に内包されたＤＶＤ再生装置２０、２０ａの例を示した。実施例３では、図５に示すように、ＤＶＤ再生機能を有するＤＶＤ再生装置２０ｂと再生画像を擬似３Ｄ画像に変換する機能を有する２Ｄ−３Ｄ変換装置３４とにシステムが分離している場合について説明する。
【００３１】
ＤＶＤ再生装置２０ｂから、画像信号１４と共に、字幕情報信号１８と、再生操作制限信号１３が、それぞれ独立した伝送路を経て、２Ｄ−３Ｄ変換装置３４に入力される。２Ｄ−３Ｄ変換装置３４で行われる２Ｄ−３Ｄ変換動作の有効化／無効化は、実施例１や実施例２と同様に、２Ｄ−３Ｄ制御信号３３と、字幕情報信号１８と、再生操作制限信号１３との論理演算の結果により制御される。
【実施例４】
【００３２】
実施例３では、ＤＶＤ再生装置２０ｂから２Ｄ−３Ｄ変換装置３４へ、画像信号１４と字幕情報信号１８と再生操作制限信号１３とが独立した経路で伝送されていることを示した。実施例４では、画像信号１４と字幕情報信号１８と再生操作制限信号１３を重畳して伝送する場合について、図６を例に説明する。
【００３３】
実施例４では、画像信号１４と再生操作制限信号１３とを重畳する手段の一例として、ＨＤＭＩ（High-Definition Multimedia Interface）の伝送規格で定められているＣＥＣ（Consumer Electronics Control）コマンドの中のVendor Specific Commands（ＣＥＣ１３．９）を使用する場合について述べる。
【００３４】
ＣＥＣコマンドの伝送は、ＨＤＭＩ伝送路にて、画像データ伝送と同時に行われるため、画像データのシーンに同期した情報を伝送することができる。Vendor Specific Commands（ＣＥＣ１３．９）は、ＨＤＭＩ規格に対応した画像伝送機能を持つ製品の製造者に開放されており、製造者独自の取り決めにより、Vendor Specific Commands（ＣＥＣ１３．９）にて、独自のデータを伝送することが可能になっている。
【００３５】
ＤＶＤ再生装置２０ｃでは、Vendor Specific Commands（ＣＥＣ１３．９）にて、再生操作制限信号１３を伝送する機能を実装する。そして、２Ｄ−３Ｄ変換装置３４ａでは、Vendor Specific Commands（ＣＥＣ１３．９）にて伝送された再生操作制限信号１３を取り出す機能を実装する。このことにより、ＤＶＤ再生装置２０ｃと２Ｄ−３Ｄ変換装置３４ａとの間で、再生操作制限信号１３を画像信号１４と共に再生操作制限信号１３をＨＤＭＩ伝送路３５を経て伝送することができる。したがって、２Ｄ−３Ｄ変換の有効化／無効化の自動切り替えを、双方が分離しているシステムにおいても、実施例３のように、新たな伝送路を増やすことなく実現できる。
【実施例５】
【００３６】
実施例４では、図６に示したように、ＤＶＤ再生装置２０ｃから２Ｄ−３Ｄ変換装置３４ａへ、画像信号１４と字幕情報信号１８と再生操作制限信号１３とが、一本のＨＤＭＩ伝送路３５に重畳されて伝送されていることを示した。実施例５では、ＤＶＤ再生装置２０ｃの内部において、図４の２Ｄ−３Ｄ変換制御切り替え信号１９に相当する信号（基準信号）を、字幕情報信号１８と再生操作制限信号１３との少なくとも一方から生成する。すなわち、実施例４では、ＤＶＤ再生装置２０ｃが画像再生装置と再生操作制限信号生成部と字幕情報信号生成部と基準信号生成部として機能する。そして、生成した２Ｄ−３Ｄ変換制御切り替え信号１９に相当する信号（基準信号）を、画像信号１４と共に、一本のＨＤＭＩ伝送路３５に重畳して伝送伝送する。実施例５の場合の構成図は、図６における字幕情報信号１８と再生操作制限信号１３の２本の信号線が、図４に示したような２Ｄ−３Ｄ変換制御切り替え信号１９に相当する１本の信号線に置き換わったものと同一となる。
【符号の説明】
【００３７】
１１…ＤＶＤの再生信号
１２…復号器
１３…再生操作制限信号
１４…画像信号
１５…２Ｄ−３Ｄ変換器
１６…左の擬似立体画像信号
１７…右の擬似立体画像信号
１８…字幕情報信号
１９…２Ｄ−３Ｄ変換制御切り替え信号
２０、２０ａ、２０ｂ、２０ｃ…ＤＶＤ再生装置
２１…ＤＶＤ信号読み取り装置
２８…３Ｄ表示変換器
２９…３Ｄ画像フォーマット信号
３０…立体表示装置
３１…視聴者
３３…２Ｄ−３Ｄ制御信号
３４、３４ａ…２Ｄ−３Ｄ変換装置
３５…ＨＤＭＩ伝送路
【図１】
2012129845.tif 000003
【図２】
2012129845.tif 000004
【図３】
2012129845.tif 000005
【図４】
2012129845.tif 000006
【図５】
2012129845.tif 000007
【図６】
2012129845.tif 000008